(57)【特許請求の範囲】
【請求項１】
桂皮酸が、溶解してアルカリ性を呈する溶解助剤の水溶液に０．５〜２５重量％の濃度に溶解してなることを特徴とする高濃度アブラムシ忌避剤。
【請求項２】
溶解助剤がトリポリリン酸ナトリウム、水酸化カリウム及び炭酸カリウムから選ばれる少なくとも１種である請求項１に記載の高濃度アブラムシ忌避剤。
【発明の詳細な説明】
【０００１】
【発明の属する技術分野】
本発明は桂皮酸の高濃度アブラムシ忌避剤に関する。
【０００２】
【従来の技術】
桂皮酸、コーヒー酸などのリグニン生合成経路中間物質が、セントポーリアなどの開花促進効果を有することが明らかにされ、本物質を開花促進剤として使用することが提案されている（特開平８−２５９４０８号公報、特開平１０−２７３４０４号公報）。
【０００３】
又、上記の桂皮酸、コーヒー酸などのリグニン生合成経路中間物質は、種々な生理活性作用を有しており、例えば、害虫忌避剤、抗菌剤、防黴剤などとして種々な用途に利用されている。
桂皮酸やコーヒー酸などを実際に使用する場合、それらの使用形態は作業効率の点から液状タイプが圧倒的に有利である。従来からよく用いられている液状タイプの栄養剤や肥料液などの植物賦活剤は、通常、濃縮された原液を使用に際して、適宜希釈して鉢植えなどの植物に散布して使用されている。従って、できるだけ濃縮度の高い原液を使うことが、保管スペースを少なくし、輸送効率を高めるだけでなく、使用者の使い勝手を向上させるなど、多くのメリットがある。又、溶剤としては水の使用が望まれる。
【０００４】
しかしながら、桂皮酸、コーヒー酸などの生理活性物質は、水への溶解性は極めて低く（例えば、桂皮酸の水への溶解度は０．５４６ｇ／リットル（２５℃）である。）、これらの物質を使用した液状タイプの各種生理活性剤を製造する際には、希薄な溶液を大量に作ることを強いられると同時に、これらの製品を保管するための広大なスペースが必要であった。又、実用的に有効な生理活性を発揮させためには、桂皮酸、コーヒー酸などの生理活性物質の飽和水溶液以上の濃度が必要な場合があり、そのような場合に安全で有効な手段が無かった。
【０００５】
【発明が解決しようとする課題】
本発明は上記の事情に鑑みてなされたものであり、本発明の目的は保管スペースが削減され、輸送効率や作業効率が向上し、安全で、種々の農業・園芸用の高濃度アブラムシ忌避剤を提供することである。
本発明者らは、上記の目的を達成するために鋭意研究を重ねた結果、水酸化カリウム、炭酸カリウム、トリポリリン酸ナトリウム、酢酸ナトリウムなどの水に溶解してアルカリ性を呈する物質が桂皮酸を水に高濃度で溶解させるための溶解助剤として作用し、これらの溶解助剤を用いて調製した桂皮酸の高濃度水溶液（溶解助剤との混合水溶液）がアブラムシ忌避剤として有効であることを見出し、本発明を完成するに至った。
【０００６】
【課題を解決するための手段】
かかる本発明によれば、桂皮酸が、溶解してアルカリ性を呈する溶解助剤の水溶液に０．５〜２５重量％の濃度に溶解してなることを特徴とする高濃度アブラムシ忌避剤が提供される。
【０００７】
本発明の桂皮酸の高濃度アブラムシ忌避剤は、希釈用原液とし、これを適当な濃度に希釈した場合にも、溶解助剤が存在するにも拘らず、桂皮酸の有するアブラムシ忌避活性は保持されるので、セントポーリアなどの花卉に対するアブラムシ忌避剤として、桂皮酸と水のみからなる極めて低濃度の水溶液に代わって使用することにより、使用効率を大幅に改善することができる。
【０００８】
【発明の実施の形態】
次に本発明について詳細に説明する。
本発明で使用するリグニン生合成経路中間物質は、桂皮酸である。
【０００９】
本発明の桂皮酸の高濃度アブラムシ忌避剤は、溶解助剤を用いて調製されることが特徴であり、一般的な溶解法により製造することができる。
本発明で使用する溶解助剤は、その水溶液がアルカリ性を呈する弱酸と強塩基の塩又は塩基であればいずれも使用可能であるが、ｐＨ緩衝作用を示し、環境汚染の恐れが少なく、人体に安全であるものが好ましい。弱酸と強塩基の塩としては、例えば、トリポリリン酸ナトリウム、トリポリリン酸カリウム、ポリリン酸ナトリウム、ポリリン酸カリウム、リン酸３ナトリウム、リン酸３カリウム、リン酸水素２カリウム、リン酸水素２ナトリウムなどのリン酸塩、炭酸カリウム、炭酸ナトリウム、酢酸ナトリウム、酢酸カリウム等が、塩基としては、例えば、水酸化ナトリウム、水酸化カリウムなどが好ましいものとして挙げられる。特に好ましい溶解助剤としては、食品添加物に指定されているトリポリリン酸ナトリウム、水酸化カリウム、炭酸カリウム、酢酸ナトリウムなどが用いられる。
【００１０】
桂皮酸の高濃度アブラムシ忌避剤を製造するに際しては、溶解助剤の水溶液を予め調製し、これに桂皮酸を加え充分に撹拌して溶解させることにより容易に桂皮酸の高濃度アブラムシ忌避剤を得ることができる。溶解助剤の使用量は、特に限定されないが、桂皮酸に対して３５〜３００重量％の範囲が好ましい。
このようにして桂皮酸の含有量が、室温での水に対する溶解度を超え、０．５〜２５重量％の高濃度アブラムシ忌避剤が得られる。該濃度は、高濃度アブラムシ忌避剤の安定性、保管スペース、輸送効率などの点から好ましい。
【００１１】
製造方法の一例を挙げると、溶解助剤が弱酸と強塩基の塩である場合、例えば、１Ｎの酢酸ナトリウム水溶液（ｐＨ８．９）１００ｍｌに０．５ｇの桂皮酸を溶解させると、０．５重量％の桂皮酸水溶液（ｐＨ６．１）のアブラムシ忌避剤を得ることができる。又、溶解助剤が塩基である場合、例えば、０．５Ｎの水酸化ナトリウム水溶液１００ｍｌに７．３ｇの桂皮酸を溶解させることで７．３重量％の桂皮酸水溶液（ｐＨ７．２）のアブラムシ忌避剤を得ることができる。使用に際しては、これを例えば１０倍に希釈して約０．７重量％の桂皮酸水溶液（ｐＨ６．６）のアブラムシ忌避剤としたり、１００倍に希釈し約０．０７重量％の桂皮酸水溶液（ｐＨ６．３）のアブラムシ忌避剤として使用する。
【００１２】
溶解助剤が、例えば、炭酸カリウム、トリポリリン酸ナトリウム、酢酸ナトリウムなどの弱酸と強塩基の塩である場合、これらの塩の水溶液中では、これらの塩は陽イオンと陰イオンに電離している。ここに、例えば、桂皮酸が加えられると桂皮酸由来のプロトンが溶解助剤由来の陰イオンに消費され、水溶液中の桂皮酸の電離が促進される方向に動き、桂皮酸イオンが生じて、これが水溶液中に溶け出し、桂皮酸全体の溶解量が増加する。
【００１３】
例えば、酢酸ナトリウムを例に示すと、酢酸ナトリウム（ＣＨ3ＣＯＯＮａ）は水溶液中で下記の式（１）のように電離し、平衡は右に偏っている。
0004223717.tif 000002
又、水溶液中で桂皮酸（Ｃ6Ｈ5−ＣＨ＝ＣＨ−ＣＯＯＨ）は下記の式（２）のように電離するが、平衡は左に偏っている。
0004223717.tif 000003
桂皮酸由来のＨ+は、酢酸イオンＣＨ3ＣＯＯ-と反応して酢酸ＣＨ3ＣＯＯＨを生じる。その結果、桂皮酸由来のＨ+は、酢酸イオンにより消費され、その濃度が減少するので、式（２）式の平衡は右に動き、桂皮酸は桂皮酸イオンＣ6Ｈ5−ＣＨ＝ＣＨ−ＣＯＯ-となって水中に溶け出す。
【００１４】
本発明の桂皮酸の高濃度のアブラムシ忌避剤の使用に際しては、一応の目安として、例えば純分１０重量％程度に調製した高濃度のアブラムシ忌避剤を、１０〜２０，０００倍程度に希釈して使用する。
本発明の桂皮酸の高濃度のアブラムシ忌避剤の使用形態は、特に制限されず、例えば、希釈高濃度のアブラムシ忌避剤のままで使用したり、必要により、肥料や他の植物活性剤やその他の添加剤等と混合して用いることができる。
【００１５】
本発明の桂皮酸の高濃度アブラムシ忌避剤を使用する場合には、桂皮酸の含有量が０．０１〜０．５重量％の水溶液として使用することが効果的である。桂皮酸の含有量が少なすぎると十分な効果が発揮されない場合があり、多すぎると植物体に悪影響を与えることがある。又、花の種類にもよるが、切花用の花瓶内容液では０．０１〜０．０５重量％程度の水溶液が好ましく、散布用では０．１〜０．５重量％程度の水溶液が好ましい。
【００１６】
【実施例】
次に実施例を挙げて本発明を更に具体的に説明する。尚、文中の部又は％は重量基準であり、アブラムシ忌避剤の使用量は培地（土壌も含めて）の合計量１００重量部に対する量である。
【００１７】
参考例１
（１）桂皮酸高濃度水溶液の製造
２０℃にて蒸留水４００ｍｌに炭酸カリウム５０ｇを溶解し、これに桂皮酸５０ｇを加えて攪拌、溶解した。蒸留水にて全量を５００ｍｌとし、桂皮酸純分１０％の桂皮酸／炭酸カリウム混合水溶液を得た。
次に、この混合水溶液を蒸留水にて２０，０００倍に希釈し、桂皮酸純分０．０００５％の混合水溶液の希釈液を得た。この希釈液のｐＨを測定したところ８．９であった。
【００１８】
（２）セントポーリアの開花促進試験
人工気象器内で育成したセントポーリア（ノースカロライナ）の苗を小鉢（直径１１ｃｍ、深さ８ｃｍ）に植え替え、液体肥料を加えて、２５℃、２，０００ルックス、１６時間照射／日の条件の人工気象器内に２週間放置した。その後、鉢の受皿（３ポット）に上記の桂皮酸純分０．０００５％の希釈混合水溶液を流し込み、受皿に常にこの溶液が満ちている状態に保つように時々液を補充しながら栽培した。希釈混合水溶液の代わりに水を用いた場合を対照として同時に栽培した。栽培２６日目に希釈混合水溶液希釈液を添加した３ポットのいずれの苗にも花芽が確認された。しかしながら、対照苗の３ポットのセントポーリアにはいずれも花芽は確認されなかった。更に栽培を継続したところ、希釈混合水溶液を添加した苗の花芽は３ポット共成長を続け、５５日目には開花株が得られたが、３ポットのコントロール苗のいずれにもそのような兆候は認められなかった。この結果から明らかなように、希釈桂皮酸／炭酸カリウム混合水溶液によりセントポーリアの開花が促進されることが確認された。結果を表１にまとめて示す。
【００１９】
0004223717.tif 000004
【００２０】
参考例２
（１）ｐ−クマル酸高濃度水溶液の製造
桂皮酸をｐ−クマル酸に代える以外は参考例１と同様にしてｐ−クマル酸の濃度が１０％であるｐ−クマル酸／炭酸カリウム混合水溶液を製造した。これを蒸留水で２０，０００倍に希釈し、ｐ−クマル酸の濃度が０．０００５％である希釈ｐ−クマル酸／炭酸カリウム混合水溶液を得た。
（２）コーヒー酸高濃度水溶液の製造
桂皮酸をコーヒー酸に代える以外は参考例１と同様にしてコーヒー酸の濃度が１０％であるコーヒー酸／炭酸カリウム混合水溶液を製造した。これを蒸留水で２０，０００倍に希釈しコーヒー酸の濃度が０．０００５％である希釈コーヒー酸／炭酸カリウム混合水溶液を得た。
【００２１】
（３）セントポーリア開花促進試験
セントポーリア（スージー）の苗を小鉢（直径１０ｃｍ、深さ７ｃｍ）に植え付け、セントポーリア用温室内（約２０℃、自然光）で２週間栽培した。その後受皿に小鉢を取り付け、参考例１の希釈桂皮酸／炭酸カリウム混合水溶液及び上記の２種の希釈混合水溶液を試験液（表２に記載）として、それぞれを各受皿（３ポット）に流し込み、試験液が常に満ちているように適宜供給した。試験開始から２８日後に各株の花芽の形成を観察した。結果を表２に示す。表２の結果から、桂皮酸の希釈高濃度混合水溶液が添加されたセントポーリア株にのみ花芽が確認され、これらの希釈高濃度混合水溶液が明らかにセントポーリアの花芽形成促進に効果を有することが確認された。
【００２２】
0004223717.tif 000005
（注）上記の各酸の濃度は０．０００５％である。
【００２３】
（４）大輪菊のアブラムシ忌避効果確認試験
２５℃の組立式室内用アルミ温室（４４０×８４０×１５００ｍｍ）内にアブラムシを着生させたフェリーチェマル（鉢花）の鉢（直径１２ｃｍ）を置き、７日間放置後、この鉢の周辺に、参考例２の希釈桂皮酸混合水溶液の入った花瓶（高さ２１ｃｍ、直径６ｃｍ、５００ｍｌ容）に挿した大輪菊（丈：約５０ｃｍ、径：約７ｃｍ）を配置した。そのまま温室内に１４日間放置後、この大輪菊の表面へのアブラムシの着生を観察したところ表３に示す結果を得た。この結果から、桂皮酸純分０．０５％の希釈混合水溶液の大輪菊上のアブラムシ忌避効果が明らかになった。
【００２４】
0004223717.tif 000006
【００２５】
参考例３
（１）高濃度桂皮酸水溶液の製造
２０℃にて蒸留水４００ｍｌにトリポリリン酸ナトリウム５０ｇを溶解し、これに桂皮酸１７．５ｇを加えて攪拌、溶解した。蒸留水にて全量を５００ｍｌとし、桂皮酸純分３．５％の桂皮酸／トリポリリン酸ナトリウム混合水溶液を得た。
次に、この混合水溶液を蒸留水にて７００倍に希釈し、桂皮酸純分０．００５％の希釈桂皮酸／トリポリリン酸ナトリウム混合水溶液を得た。この希釈混合水溶液のｐＨは８．３であった。
【００２６】
（２）セントポーリア開花促進試験
６０日齢のセントポーリア（タカコ）の苗、１５０鉢をセントポーリア用温室内の開花用ベンチに置き、１週間後に桂皮酸純分０．００５％の上記希釈混合水溶液を１鉢当り５０ｍｌ散布し、栽培を続けた。対照区として通常の水やりのみの苗を１５０鉢用意し、桂皮酸純分０．００５％の希釈混合水溶液添加区と同様にして栽培を続けた。２つの区のセントポーリア鉢について、出荷に適当となる開花状態（３分咲き）になるまでの栽培日数を比較した。この結果を表４に示す。表４の結果より桂皮酸純分０．００５％の希釈混合水溶液はセントポーリア（タカコ）の開花促進に有効であることが明らかになった。
【００２７】
0004223717.tif 000007
１）苗を開花用ベンチに置いてから出荷（３分咲き）までの栽培日数
【００２８】
（３）クリサンセマムムルチコーレのアブラムシ避効果確認試験
２０℃の温室内で栽培中のアブラムシの着生したクリサンセマムムルチコーレの植物体全体に、上記の桂皮酸純分０．５％及び０．０５％の高濃度桂皮酸溶液希釈液及び桂皮酸の飽和水溶液を霧吹きにて散布（０．００３ｍｌ／葉ｃｍ2）し、１時間放置後、このクリサンセマムムルチコーレ表面のアブラムシの着生を観察したところ表５に示す結果を得た。この結果から、桂皮酸飽和溶液より濃厚な桂皮酸濃度０．５％の希釈混合水溶液を散布した時のクリサンセマムムルチコーレ上のアブラムシ忌避効果が明らかになった。
【００２９】
0004223717.tif 000008
【００３０】
参考例４
（１）高濃度桂皮酸水溶液の製造
参考例１と同様にして桂皮酸純分１０％の桂皮酸／炭酸カリウム混合水溶液を作製し、これを蒸留水にて２００倍及び２，０００倍に希釈して、桂皮酸純分濃度０．０５％及び０．００５％の希釈混合水溶液を作製した。
（２）小菊のアブラムシ忌避効果確認試験
農家より入手の出荷前の小菊を４０ｃｍの丈に揃え、上記の希釈液１７０ｍｌを入れた花瓶（高さ２１ｃｍ、直径６ｃｍ、２００ｍｌ容）に挿した。２１℃の室内に１４日間放置後、この小菊の表面へのアブラムシの着生を観察したところ表６に示す結果を得た。この結果により、桂皮酸濃度０．０５％の希釈混合水溶液の小菊上のアブラムシ忌避効果が明らかになった。
【００３１】
0004223717.tif 000009
【００３２】
参考例５
（１）高濃度桂皮酸水溶液の製造
２０℃にて蒸留水４００ｍｌに水酸化カリウム１８．４ｇを溶解し、これに桂皮酸５０ｇを加えて撹拌し、蒸留水にて全量を５００ｍｌとし、桂皮酸純分１０％の桂皮酸／水酸化カリウム混合水溶液（ｐＨ８．８）を得た。
次に、この混合水溶液を蒸留水にて２０倍及び２００倍に希釈して、桂皮酸純分濃度０．５％及び０．０５％の希釈混合水溶液を作製した。
（２）ブーゲンビレアのアブラムシ忌避効果確認試験
２０℃の温室内で栽培中のアブラムシの着生したブーゲンビレアの植物体全体に、上記０．５％及び０．０５％の希釈桂皮酸混合水溶液並びに桂皮酸飽和水溶液（約０．０５％）を霧吹きにて散布（０．００３ｍｌ／葉ｃｍ2）し、１時間放置後、このブーゲンビレアの表面のアブラムシの着生を観察したところ表７に示す結果を得た。この結果により、桂皮酸飽和溶液より濃厚な、桂皮酸純分０．５％の希釈液を散布した時のブーゲンビレア上のアブラムシ忌避効果が明らかになった。
【００３３】
0004223717.tif 000010
【００３４】
（３）デージーのアブラムシ忌避効果確認試験
２０℃の温室内で栽培中のアブラムシの着生したデージーの植物体全体に、上記の桂皮酸純分０．５％及び０．０５％の希釈桂皮酸／水酸化カリウム混合水溶液及び桂皮酸飽和水溶液を霧吹きにて散布（０．００３ｍｌ／葉ｃｍ2）し、１時間放置後、このデージーの表面のアブラムシの着生を観察したところ表８に示す結果を得た。この結果から、桂皮酸飽和溶液より濃厚な桂皮酸濃度０．５％の希釈液を散布した時のデージー上のアブラムシ忌避効果が明らかになった。
【００３５】
0004223717.tif 000011
【００３６】
【発明の効果】
以上の本発明によれば、セントポーリアなどの植物体のアブラムシ忌避活性を有する桂皮酸を高濃度で含むアブラムシ忌避剤が提供される。この高濃度アブラムシ忌避剤を原液として、使用に際して適宜希釈して植物体に接触する希釈液となすことにより、桂皮酸のリグニン生合成経路代謝中間物質のアブラムシ忌避活性効果はそのまま保持されるので利用効率を改善することができる。又、桂皮酸が、通常の条件下での飽和溶液の濃度以上で実用的なアブラムシ忌避活性を示す場合、溶解助剤を用いて調製した桂皮酸の高濃度アブラムシ忌避は、その桂皮酸のアブラムシ忌避活性を実際に具現化できる有効な手段となる。